(57)【特許請求の範囲】
【請求項１】
給水管により供給された水を加熱手段により加熱する熱交換器と、該熱交換器で加熱された湯が出湯される出湯管と、前記給水管を通過する水の温度を検出する給水温検出手段と、前記出湯管から出湯される湯の温度を検出する出湯温検出手段と、該出湯温検出手段による検出温度が給湯目標温度と一致するように前記加熱手段の加熱量を調節する給湯制御手段とを備えた給湯装置において、
前記給水温検出手段による検出温度と前記給湯目標温度とに応じて点火基準水量を設定する基準水量設定手段と、前記給水管を通過する水の単位時間当たりの水量を検出する水量センサと、該水量センサで検出される水量が前記点火基準水量を越えたときに前記加熱手段を作動させる点火制御手段とを備え、
前記加熱手段の停止状態が所定時間継続しているときであって、前記水量センサで検出される流量が所定水量以上で前記点火基準水量未満のときに、前記給水温検出手段により給水温を検出した時点から第２の所定時間経過後に前記出湯温検出手段により出湯温を検出し、前記出湯温検出手段による検出温度と前記給水温検出手段による検出温度との温度差を算出し、該温度差が所定値以上のときは、前記出湯温検出手段又は前記給水温検出手段の異常と判定する異常検出手段を備えたことを特徴とする給湯装置。
【請求項２】
給水管により供給された水を加熱手段により加熱する熱交換器と、該熱交換器で加熱された湯が出湯される出湯管と、前記給水管を通過する水の温度を検出する給水温検出手段と、前記出湯管から出湯される湯の温度を検出する出湯温検出手段と、該出湯温検出手段による検出温度が給湯目標温度と一致するように前記加熱手段の加熱量を調節する給湯制御手段とを備えた給湯装置において、
前記給水温検出手段による検出温度と前記給湯目標温度とに応じて点火基準水量を設定する基準水量設定手段と、前記給水管を通過する水の単位時間当たりの水量を検出する水量センサと、該水量センサで検出される水量が前記点火基準水量を越えたときに前記加熱手段を作動させる点火制御手段とを備え、
前記水量センサで検出される流量が所定水量以上で前記点火基準水量未満のときであって水量検出時からの累積水量が所定量以上となったときに、前記出湯温検出手段による検出温度と前記給水温検出手段による検出温度との温度差を算出し、該温度差が所定値以上のときは、前記出湯温検出手段又は前記給水温検出手段の異常と判定する異常検出手段を備えたことを特徴とする給湯装置。
【請求項３】
前記異常検出手段は、前記給水温検出手段により給水温を検出した時点から第２の所定時間経過後に前記出湯温検出手段により出湯温を検出し、該給水温と該出湯温とを比較して、前記出湯温検出手段又は前記給水温検出手段の異常の有無を判定することを特徴とする請求項２に記載の給湯装置。
【請求項４】
前記異常検出手段により、前記出湯温検出手段又は前記給水温検出手段が異常であると判定されたときに、その旨を報知する報知手段を備えたことを特徴とする請求項１乃至３のいずれか１項に記載の給湯装置。
【発明の詳細な説明】
【０００１】
【発明の属する技術の分野】
本発明は、台所等に給湯を行う給湯装置に関する。
【０００２】
【従来の技術】
従来の給湯装置としては、ガスバーナにより加熱され、給水管から供給される水を昇温させる熱交換器と、熱交換器へ給水される水の温度を検出する給水温検出手段と、熱交換器から出湯される湯の温度を検出する出湯温検出手段と、給水管を通過する水の流量を検出する水量センサとを備えたものが知られている。
【０００３】
これによれば、出湯管に設けられているカランが開かれたときには、熱交換器への給水が開始され、前記水量センサで検出される流量が所定の点火基準水量を越えた時、ガスバーナが点火されてその燃焼が開始され、ガスバーナによって熱交換器が加熱される。ガスバーナの燃焼量の調節は給湯制御手段で行われ、出湯温検出手段で検出される温水の温度が使用者が設定した給湯目標温度に一致するように、給水温検出手段により検出される給水温度と、水量センサにより検出される水量と、出湯温検出手段により検出される出湯温度とに基づいて、ガスの供給量を調節することにより行われる。
【０００４】
また、前記点火基準水量を給水温度と給湯目標温度とに応じて設定するものも知られている。具体的には、給湯目標温度と給水温度との差、即ち上昇させなければならない温度差に最小水量である点火基準水量を乗じたものが、ガスバーナの最小燃焼量より大きくなるように、点火基準水量を決定するものである。この様に、ガスバーナの点火を開始する点火基準水量を給水温度と給湯目標温度との差及び最小燃焼量に応じて定めることにより、可能な限り少ない流量での給湯を可能としている。
【０００５】
ところで、給水温検出手段や出湯温検出手段を備えた水温や湯温の検出回路は、例えばサーミスタ等の温度検出手段がマイコンのＡ／Ｄポートに接続され、Ａ／Ｄポートに入力される電圧に応じて検出温度を認識するものが多く知られている。これらの前記検出回路において、温度検出手段を接続するハーネスが断線したり短絡した場合には、Ａ／Ｄポートに入力させる電圧が通常の使用範囲から外れるため、これを検出することにより検出回路の異常を判定することができる。
【０００６】
しかしながら、従来の給湯装置では、ハーネス等が完全に断線したり短絡した場合には異常を検出することはできるが、部分的に短絡したり断線した場合には、検出できないおそれがある。つまり、部分的な短絡や断線により、温度検出手段の抵抗値が増加したり減少したりした場合、Ａ／Ｄポートに入力される電圧が通常の使用範囲から外れないときは、温度検出手段が異常であるか正常であるかを判定することができない。
【０００７】
一方、加熱手段の加熱量は、出湯温検出手段の検出温度が使用者が設定した給湯目標温度と一致するように制御される。このため、出湯温検出手段が上記の様な異常になった場合には、給湯される出湯温が、設定された給湯目標温度と異なることから、使用者が出湯温検出手段の異常と判定することができる。あるいは、点検者が出湯温をサーミスタ等で直接測定することにより、出湯温検出手段を含む検知回路が異常であると判定することができる。
【０００８】
しかしながら、給水温検出手段が故障したときは、前述のように、給水温度と給湯目標温度とに応じて点火基準水量を決定するものにおいては、給水温検出手段の異常により実際には低い温度の水が高い温度であると判断された場合には、点火基準水量が大きな値に設定されるため、カランを通常の開度に聞いてもガスバーナに点火されない事態が生じ、使用者に違和感を与えるという不都合がある。そして、この場合、加熱が開始されない原因として、給水温検出手段の異常の他、水量センサの故障、ガス電磁弁の故障、制御回路の故障等、様々な故障が考えられ、給水温検出手段の異常であると特定することが困難である。
【０００９】
【発明が解決しようとする課題】
本発明は、給湯装置の改良を目的とし、さらに詳しくは前記不都合を解消するために、出湯温検出手段又は給水温検出手段の故障検知が容易な給湯装置を提供することを目的とする。
【００１０】
【課題を解決するための手段】
前記目的を達成するために、本発明の給湯装置の第１の態様は、給水管により供給された水を加熱手段により加熱する熱交換器と、該熱交換器で加熱された湯が出湯される出湯管と、前記給水管を通過する水の温度を検出する給水温検出手段と、前記出湯管から出湯される湯の温度を検出する出湯温検出手段と、該出湯温検出手段による検出温度が給湯目標温度と一致するように前記加熱手段の加熱量を調節する給湯制御手段とを備えた給湯装置において、前記給水温検出手段による検出温度と前記給湯目標温度とに応じて点火基準水量を設定する基準水量設定手段と、前記給水管を通過する水の単位時間当たりの水量を検出する水量センサと、該水量センサで検出される水量が前記点火基準水量を越えたときに前記加熱手段を作動させる点火制御手段とを備え、前記加熱手段の停止状態が所定時間継続しているときであって、前記水量センサで検出される流量が所定水量以上で前記点火基準水量未満のときに、前記給水温検出手段により給水温を検出した時点から第２の所定時間経過後に前記出湯温検出手段により出湯温を検出し、前記出湯温検出手段による検出温度と前記給水温検出手段による検出温度との温度差を算出し、該温度差が所定値以上のときは、前記出湯温検出手段又は前記給水温検出手段の異常と判定する異常検出手段を備えたことを特徴とする。
【００１１】
給湯装置が作動状態のときは、前記出湯管からは前記加熱手段により加熱された湯が出湯するが、前記加熱手段の停止状態が所定時間継続しているときは、この所定時間を加熱された前記出湯管の湯水が常温の状態になるような時間とすることにより、出湯温検出手段の近傍の水と給水温検出手段の近傍の水とはほぼ同じ温度となる。従って、この同じ温度の水を給水温検出手段と出湯温検出手段とで温度の検出を行ったときは、これらの温度検出手段が正常であればその検出値もほぼ同一のものとなる。一方、これらの温度検出手段の検出値に所定値以上の差が生じていれば、どちらかの温度検出手段が故障していると判定することができる。
【００１２】
尚、このようにどちらかの温度検出手段が故障していると判定されれば、点検者が出湯温を直接検出して給湯目標温度と比較することにより出湯温検出手段の点検を行えばよい。ここで、出湯温検出手段が不良であると判定されれば、出湯温検出手段の修理を行えばよい。また、出湯温検出手段が正常であると判定されれば、給水温検出手段が不良であると判定することができる。
【００１３】
また、本発明の給湯装置の第１の態様では、前記給水温検出手段による検出温度と前記給湯目標温度とに応じて点火基準水量を設定する基準水量設定手段と、前記給水管を通過する水の単位時間当たりの水量を検出する水量センサと、該水量センサで検出される水量が前記点火基準水量を越えたときに前記加熱手段を作動させる点火制御手段とを備え、前記異常検出手段は、前記水量センサで検出される流量が所定水量以上で前記点火基準水量未満のときに、前記出湯温検出手段又は前記給水温検出手段の異常の有無を判定する。
【００１４】
これによれば、前記給水管に水が流れている状態で、前記加熱手段が停止しているときに前記温度検出手段の点検を行う。このとき、前記出湯温検出手段では前記加熱手段により加熱されていない水の温度が検出される。従って、前記出湯温検出手段と前記給水温検出手段とが正常であればその検出温度はほぼ同一となるので、両者の温度差が所定値以上であれば、どちらかが故障していることを判定することができる。
【００１５】
特に、前記給水温検出手段や水量センサ等のその他の装置が故障しているときは、カランを通常の開度に聞いても水は出ているにもかかわらず、前記加熱手段が点火しない場合がある。このような場合に、前記異常検出手段により異常と判定されたときは、前記出湯温検出手段又は前記給水温検出手段の故障と判定することができる。
また、前記第２の所定時間を設けることにより、前記給水温検出手段で温度を検出した水が、前記給水管を及び前記出湯管を介して前記出湯温検出手段を通過するときに前記出湯温検出手段で温度を検出するようにすることができる。即ち、両温度検出手段において同じ水の温度を検出することができるので、ほぼ同一条件の水の温度を検出でき、両温度検出手段の故障の判定を正確に行うことができる。
【００１６】
本発明の給湯装置の第２の態様は、給水管により供給された水を加熱手段により加熱する熱交換器と、該熱交換器で加熱された湯が出湯される出湯管と、前記給水管を通過する水の温度を検出する給水温検出手段と、前記出湯管から出湯される湯の温度を検出する出湯温検出手段と、該出湯温検出手段による検出温度が給湯目標温度と一致するように前記加熱手段の加熱量を調節する給湯制御手段とを備えた給湯装置において、前記給水温検出手段による検出温度と前記給湯目標温度とに応じて点火基準水量を設定する基準水量設定手段と、前記給水管を通過する水の単位時間当たりの水量を検出する水量センサと、該水量センサで検出される水量が前記点火基準水量を越えたときに前記加熱手段を作動させる点火制御手段とを備え、前記異常検出手段は、前記水量センサで検出される流量が所定水量以上で前記点火基準水量未満のときであって水量検出時からの累積水量が所定量以上となったときに、前記出湯温検出手段による検出温度と前記給水温検出手段による検出温度との温度差を算出し、該温度差が所定値以上のときは、前記出湯温検出手段又は前記給水温検出手段の異常と判定する異常検出手段を備えたことを特徴とする。
【００１７】
これによれば、前記給水管を流れる水の水量が前記点火基準水量未満のときは、前記加熱手段は作動しない。そして、この状態で水量検出時からの累積水量が所定量以上となったときに前記出湯温検出手段又は前記給水温検出手段の異常の検出を行う。この累積水量を、加熱手段により加熱された前記出湯管がその内部を流れる水により常温の状態に冷却されるような水量とすることにより、出湯温検出手段の近傍の水と給水温検出手段の近傍の水の温度をほぼ同じ温度にすることができる。従って、この同じ温度の水について給水温検出手段と出湯温検出手段とで温度の検出を行ったときは、これらの温度検出手段が正常であればその検出値もほぼ同一のものとなる。一方、これらの温度検出手段の検出値に所定値以上の差が生じていれば、どちらかの温度検出手段が故障していると判定することができる。
【００１８】
また、前記異常検出手段は、前記給水温検出手段により給水温を検出した時点から第２の所定時間経過後に前記出湯温検出手段により出湯温を検出し、該給水温と該出湯温とを比較して、前記出湯温検出手段又は前記給水温検出手段の異常の有無を判定することが好ましい。これによれば、前記第２の所定時間を設けることにより、前記給水温検出手段で温度を検出した水が、前記給水管を及び前記出湯管を介して前記出湯温検出手段を通過するときに前記出湯温検出手段で温度を検出するようにすることができる。即ち、両温度検出手段において同じ水の温度を検出することができるので、ほぼ同一条件の水の温度を検出でき、両温度検出手段の故障の判定を正確に行うことができる。
【００１９】
また、前記異常検出手段により、前記出湯温検出手段又は前記給水温検出手段が異常であると判定されたときに、その旨を報知する報知手段を備えることが好ましい。これによれば、使用者や点検者は、前記出湯温検出手段又は前記給水温検出手段の異常を前記報知手段により容易に認識することができる。
【００２０】
【発明の実施の形態】
次に、本発明の給湯装置の実施形態の一例について、図１乃至図８を参照して説明する。図１は本発明の給湯装置の実施形態の一例を示す全体構成図、図２は図１の給湯装置に備えられたリモコンの外観図、図３は第１の実施形態の給湯装置の故障検知回路の構成を示すブロック図、図４は図３の給湯装置の作動を示すフローチャート、図５は第１の実施形態における他の実施形態の給湯装置の故障検知回路の構成を示すブロック図、図６は図５の給湯装置の作動を示すフローチャート、図７は第２の実施形態の給湯装置の故障検知回路の構成を示すブロック図、図８は図７の給湯装置の作動を示すフローチャートである。
【００２１】
まず、図１乃至図４を参照して、本発明の給湯装置の第１の実施形態について説明する。第１の実施形態の給湯装置１は、図１に示すように、給湯部２と、追焚き部３とからなり、コントローラ４により給湯部２と追焚き部３とを制御する構成となっている。
【００２２】
給湯部２は、コントローラ４からの制御信号により作動する給湯バーナ５（加熱手段）によって加熱される給湯熱交換器６（熱交換器）、図示しない水道管と接続されて給湯熱交換器６に給水する給水管７、コントローラ４からの制御信号により給水管７の開度を調節する水量サーボ８、給水される水の温度を検出してコントローラ４に出力する給水温サーミスタ９（給水温検出手段）、給湯熱交換器６を通過する水の単位時間当たりの水量を検出する水量センサ１０、給湯熱交換器６で加熱された湯が出湯される出湯管１１、給水管７に給水される水の一部を出湯管１１に混合させるバイパス管１２、コントローラ４からの制御信号によりバイパス管１２の開度を調節するバイパスサーボ１３、出湯管１１とバイパス管１２との合流点の下流の湯の温度を検出してコントローラ４に出力する出湯温サーミスタ１４（出湯温検出手段）、及び出湯管１１の先端部に設けられたカラン１５が備えられている。
【００２３】
また、給湯バーナ５に燃料ガスを供給するガス供給管１６には、コントローラ４からの制御信号により開閉される元ガス電磁弁１７、及び給湯ガス電磁弁１８，１９と、コントローラ４からの制御信号によりその開度が調節される給湯ガス比例弁２０とが備えられている。
【００２４】
２１は給湯バーナ５に燃焼用空気を供給する給湯燃焼ファンであり、コントローラ４からの制御信号によりその回転速度が制御される。２２はコントローラ４からの制御信号によりイグナイタ２３を介して高電圧が印加され、給湯バーナ５に点火する給湯点火プラグであり、２４は給湯バーナ５の燃焼状態を検出してコントローラ４に出力する給湯フレームロッドである。
【００２５】
コントローラ４は、図３に示すように、給湯制御手段２５と追焚き制御手段２６とを含んで、ＣＰＵ、ＲＯＭ、ＲＡＭ等により構成され、リモコン２７によって指示される各種運転モードに応じて給湯部２と追焚き部３の制御を行う。また、このコントローラ４には、給水温サーミスタ９及び出湯温サーミスタ１４の故障検知を行うための異常検知手段２８と異常検知タイマ２９とが設けられている。この異常検知タイマ２９は、給湯バーナ５の燃焼が停止した時点からタイマをスタートさせ、所定時間経過したかどうかをカウントしている。本実施形態においては、この所定時間は２時間に設定されている。
【００２６】
また、図２に示すように、リモコン２７は、給湯装置１全体の運転開始と運転停止とを指示する運転スイッチ３０と、出湯管１１への給湯目標温度を設定する給湯温度スイッチ３１と、給湯温度や時刻等を表示する表示部３２とを有する。
尚、追焚き部３を含む風呂追焚装置、及びリモコン２７のその他のスイッチは、従来のものと同様の構成であるので、詳細な説明は省略する。
【００２７】
次に、図１乃至図４を参照して本発明の第１の実施形態における作動について説明する。使用者が、リモコン２７の運転スイッチ３０を操作すると、給湯装置１全体が運転待機状態となり、運転スイッチ３０に内蔵された運転ランプが点灯する（ＳＴＥＰ１）。この状態で、カラン１５が閉じられているとき（ＳＴＥＰ２においてＹＥＳ）、即ち燃焼バーナ５が停止しているときは、異常検出手段２８は、異常検知タイマ２９がタイムアップしているかどうかのチェックを行う（ＳＴＥＰ３）。ここで、異常検知タイマ２９がタイムアップしているとき（ＳＴＥＰ３においてＹＥＳ）、即ち、使用者が運転スイッチ３０をオンにした時点が前回給湯バーナ５が停止した時点から２時間経過しているときは、以下の故障検知の作動を行う。
【００２８】
まず、異常検出手段２８は、給水温サーミスタ９により給水温Ｔｉを検出すると共に、出湯温サーミスタ１４により出湯温Ｔｏを検出する（ＳＴＥＰ４）。そして、異常検出手段２８は、この給水温Ｔｉと出湯温Ｔｏの差であるＴＬを算出する（ＳＴＥＰ５）。前回給湯バーナ５が停止してから２時間以上経過しているときは、前回の給湯バーナ５の燃焼により昇温された出湯温サーミスタ１４近傍の湯の温度も常温に低下しており、給水温サーミスタ９の近傍の水の温度とほぼ同一となっている。従って、給水温サーミスタ９及び出湯温サーミスタ１４が共に正常であれば、その検出温度もほぼ同一となる。ここで、両者の検出温度の差ＴＬの絶対値が所定温度（本実施形態においては５℃）以上であるときは（ＳＴＥＰ６においてＹＥＳ）、給水温サーミスタ９又は出湯温サーミスタ１４のいずれかが故障していることになる。
【００２９】
このようなときは、表示部３２にエラー表示である「ＥＲ」の表示と、給水温サーミスタ９又は出湯温サーミスタ１４のいずれかが故障していることを示すエラーコードを数字で交互に点滅させる（ＳＴＥＰ７）。これにより、使用者は給湯装置１が故障であると認識することができる。尚、使用者から連絡を受けた点検者は、表示部３２のエラー表示を見ることにより給水温サーミスタ９又は出湯温サーミスタ１４のいずれかが故障していることを速やかに認識することができる。このとき、点検者はカラン１５を開いて出湯温度を点検用のサーミスタ等により検出し、その温度を給湯目標温度と比較することにより、出湯温サーミスタ１４が故障しているかどうかを検査する。出湯温サーミスタ１４が故障していない場合は、給水温サーミスタ９の故障であることが判明する。このように、本実施形態の給湯装置１においては、給水温サーミスタ９又は出湯温サーミスタ１４の故障を速やかに検知することができる。
【００３０】
一方、カラン１５が閉じられた状態で（ＳＴＥＰ２においてＹＥＳ）異常検知タイマ２９がタイムアップしていないときは（ＳＴＥＰ３においてＮＯ）、前回給湯バーナ５の燃焼が停止してから２時間未満であるので、出湯温サーミスタ１４の近傍の水の温度は、給水温サーミスタ９の近傍の水の温度よりも高いことが予想される。従って、この場合は異常検出手段２８は給水温サーミスタ９及び出湯温サーミスタ１４の故障検知の作動は行わない。
【００３１】
また、運転スイッチ３０がオンになっている状態でカラン１５が開かれたときは（ＳＴＥＰ２においてＮＯ）、次の点火制御を行う（ＳＴＥＰ８）。給湯制御手段２５は、給湯燃焼ファン２１を作動させ、元ガス電磁弁１７，給湯ガス比例弁２０，給湯ガス電磁弁１８，１９を開弁し、イグナイタ２３に高電圧を印加して給湯点火プラグ２２に火花放電を生じさせて給湯バーナ５の点火処理を行う。
次に、給湯制御手段２５は、次の給湯制御を行う（ＳＴＥＰ９）。給湯制御手段２５が給湯フレームロッド２４の出力により、給湯バーナ５の点火がなされたことを認識したときは、水量センサ１０により検出される水量と、給水温サーミスタ９により検出される水の温度と、給湯目標温度とを基にして、出湯温サーミスタ１４の検出温度と給湯目標温度とが一致するように、給湯ガス比例弁２０の開度、給湯燃焼ファン２１の回転速度、給湯ガス電磁弁１８，１９の開閉、水量サーボ８の開度、及びバイパスサーボ１３の開度を調節する給湯制御を実行する。
これにより、カラン１５から使用者の設定した温度の湯が給湯される。
【００３２】
そして、カラン１５が閉じられたときは（ＳＴＥＰ１０においてＹＥＳ）、給湯バーナ５の燃焼が終了するので、異常検知タイマ２９がスタートされる（ＳＴＥＰ１１）。このため、異常検知タイマ２９がタイムアップする前にさらに給湯バーナ５の燃焼が開始された後、カラン１５が閉じられて給湯バーナ５の燃焼が終了したときは、その燃焼が終了した時点から所定時間のカウントが行われる（ＳＴＥＰ１１）。そして、運転スイッチ３０がオフにされるまで、上記作動を行う（ＳＴＥＰ１２においてＮＯ）。
【００３３】
次に、図１、図２、図５及び図６を参照して、本発明の第１の実施形態における他の実施形態について説明する。本実施形態では、図５に示すように、コントローラ４に、給水温サーミスタ９の検出温度と、使用者が設定した給湯目標温度から点火基準水量を設定する基準水量設定手段３３と、水量センサ１０で検出される水量が点火基準水量を越えたときに給湯バーナ５を作動させる点火制御手段３４とが設けられている。この点火制御手段３４は、使用者がカラン１５を開いたにもかかわらず、給水量が点火基準水量以下のときは給湯バーナ５を作動させないようにしている。本実施形態では、このような状況の際に異常検出手段２８が給水温サーミスタ９又は出湯温サーミスタ１４の故障の検知を行うものである。尚、本実施形態においては、点火制御手段３４以外の給湯装置１の構成は前記第１の実施形態と同一であるので、詳細な説明は省略する。
【００３４】
使用者が、リモコン２７の運転スイッチ３０を操作すると、給湯装置１全体が運転待機状態となり、運転スイッチ３０に内蔵された運転ランプが点灯する（ＳＴＥＰ２１）。この状態で、使用者が出湯管１１の先端に接続されたカラン１５を開けると（ＳＴＥＰ２２においてＹＥＳ）給水管７への給水が開始され、この給水管７への給水の開始が流量センサ１０により検出されたときは、給水温サーミスタ９により給水温が検出される（ＳＴＥＰ２３）。そして、コントローラ４は、基準水量設定手段３３により給水温サーミスタ９の検出温度と給湯目標温度とから点火基準水量を算出すると共に（ＳＴＥＰ２４）、水量センサ１０により水量を検出する（ＳＴＥＰ２５）。次に、点火制御手段３４は、水量センサ１０により検出された水量が点火基準水量以上かどうかを判定する（ＳＴＥＰ２６）。ここで、給水管７を流れる水の水量が点火基準水量以上のときは（ＳＴＥＰ２６においてＮＯ）、前記点火制御を行い（ＳＴＥＰ３４）、前記給湯制御を行う（ＳＴＥＰ３５）。
【００３５】
一方、給水管７を流れる水の水量が点火基準水量未満のときは（ＳＴＥＰ２６においてＹＥＳ）、給湯制御手段２５は給湯バーナ５の点火を行わない。このとき、異常検出手段２８は、異常検知タイマ２９がタイムアップしているかどうかのチェックを行う（ＳＴＥＰ２７）。使用者がカラン１５を開けることにより給水管７への給水が開始された時点が、前回給湯バーナ５が停止した時点から所定時間、本実施形態では２時間経過しているときは（ＳＴＥＰ２７においてＹＥＳ）、以下の故障検知の作動を行う。
【００３６】
まず、異常検出手段２８は、給水温サーミスタ９により給水温Ｔｉを検出して記憶する（ＳＴＥＰ２８）。そして、第２の所定時間である２秒間は待機状態となり（ＳＴＥＰ２９においてＮＯ）、第２の所定時間経過後に出湯温サーミスタ１４により出湯温Ｔｏを検出する（ＳＴＥＰ３０）。このように、本実施形態では、両サーミスタの温度検出に時間差を設けることにより、給水温サーミスタ９で温度を検出した水の温度を、給水管７及び出湯管１１を介して出湯温サーミスタ１４に到達したときに出湯温サーミスタ１４で検出するようにしている。
【００３７】
ここで、異常検知タイマ２９がタイムアップしているときは、前回給湯バーナ５が停止してから２時間以上経過しているので、出湯管１１や給湯熱交換器６も常温となっているため、給水管７から供給された水は、給湯熱交換器６及び出湯管１１を経由してもほぼ温度は変化しない。従って、給水温サーミスタ９及び出湯温サーミスタ１４が共に正常であれば、その検出温度もほぼ同一となる。
【００３８】
ここで、両者の検出温度の差ＴＬを算出し（ＳＴＥＰ３１）、この温度差ＴＬの絶対値が所定温度（本実施形態においては５℃）以上であるときは（ＳＴＥＰ３２においてＹＥＳ）、給水温サーミスタ９又は出湯温サーミスタ１４のいずれかが故障していることになる。このとき、コントローラ４は、表示部３２にエラー表示である「ＥＲ」の表示と、給水温サーミスタ９又は出湯温サーミスタ１４のいずれかが故障していることを示すエラーコードを数字で交互に点滅させる（ＳＴＥＰ３３）。これにより、使用者は給湯装置１が故障であると認識することができる。
【００３９】
一方、異常検知タイマ２９がタイムアップしていないときは（ＳＴＥＰ２７においてＮＯ）、異常検出手段２８は給水温サーミスタ９及び出湯温サーミスタ１４の故障検知の作動は行わない。
【００４０】
次に、図１、図２、図７及び図８を参照して、本発明の給湯装置の第２の実施形態について説明する。本実施形態では、使用者がカラン１５を開いたにもかかわらず、給湯バーナ５が点火しない場合に、異常検知手段２８により給水温サーミスタ９又は出湯温サーミスタ１４の故障の検知を行うものである。本実施形態においては、図７に示すように、コントローラ４には水量センサ１０からの信号によりある時点からの累積水量を演算する水量演算手段３５が設けられている。
その他の構成は、第１の実施形態の他の実施形態における異常検知タイマ２９が設けられていない点を除いて当該実施形態と同一であるので詳細な説明は省略する。
【００４１】
使用者が、リモコン２７の運転スイッチ３０を操作すると、給湯装置１全体が運転待機状態となり、運転スイッチ３０に内蔵された運転ランプが点灯する（ＳＴＥＰ４１）。この状態で、使用者が出湯管１１の先端に接続されたカラン１５を開けると（ＳＴＥＰ４２においてＹＥＳ）、給水管７への給水が開始され、この給水管７への給水の開始が流量センサ１０により検出されたときは、給水温サーミスタ９により給水温が検出される（ＳＴＥＰ４３）。そして、コントローラ４は、基準水量設定手段３３により給水温サーミスタ９の検出温度と給湯目標温度とから点火基準水量を算出すると共に（ＳＴＥＰ４４）、水量センサ１０により水量を検出する（ＳＴＥＰ４５）。次に、点火制御手段３４は、水量センサ１０により検出された水量が点火基準水量以上かどうかを判定する（ＳＴＥＰ４６）。ここで、給水管７を流れる水の水量が点火基準水量以上のときは（ＳＴＥＰ４６においてＮＯ）、前記点火制御を行い（ＳＴＥＰ５６）、前記給湯制御を行う（ＳＴＥＰ５７）。
【００４２】
一方、給水管７を流れる水の水量が点火基準水量未満のときは（ＳＴＥＰ４６においてＹＥＳ）、給湯制御手段２５は給湯バーナ５の点火を行わない。このとき、水量演算手段３５は、水量センサ１０により給水管７への給水の開始を認識した時点からの累積水量を算出する（ＳＴＥＰ４７）。具体的には、水量センサ１０では単位時間当たりの水量が検出されるので、その検出値に経過時間を乗じてその結果を順次加算することにより累積水量を算出する。そして、累積水量が所定量である１リットルを越えたときは（ＳＴＥＰ４８においてＹＥＳ）、給水温サーミスタ９の近傍の水の温度と出湯温サーミスタ１４の近傍の水の温度は、ほぼ同じ温度になる。例えば、前回の給湯バーナ５の燃焼の終了時点から間もない場合であっても、給水管７を流れる水の水量が点火基準水量未満のときは給湯バーナ５は燃焼していないので、給水管７及び出湯管１１から所定量の水が流れれば、給湯熱交換器６及び出湯管１１もその内部を通過する水により冷却される。この第２の実施形態においては、このような条件において以下の故障検知の作動を行う。
【００４３】
まず、異常検出手段２８は、給水温サーミスタ９により給水温Ｔｉを検出し、記憶する（ＳＴＥＰ４９）。そして、水量演算手段３５により給水温サーミスタ９により温度を検出した水が出湯温サーミスタ１４の近傍に到達するまでの第２の所定時間を、水量センサ１０により検出された水量から算出する（ＳＴＥＰ５０）。そして、異常検出手段２８は、給水温サーミスタ９により給水温Ｔｉを検出した時点から、水量演算手段３５により算出された第２の所定時間が経過したときに（ＳＴＥＰ５１においてＹＥＳ）、出湯温サーミスタ１４により出湯温Ｔｏを検出する（ＳＴＥＰ５２）。
【００４４】
ここで、両者の検出温度の差ＴＬを算出し（ＳＴＥＰ５３）、この温度差ＴＬの絶対値が所定温度（本実施形態においては５℃）以上であるときは（ＳＴＥＰ５４においてＹＥＳ）、給水温サーミスタ９又は出湯温サーミスタ１４のいずれかが故障していることになる。このとき、コントローラ４は、表示部３２にエラー表示である「ＥＲ」の表示と、給水温サーミスタ９又は出湯温サーミスタ１４のいずれかが故障していることを示すエラーコードを数字で交互に点滅させる（ＳＴＥＰ５５）。これにより、使用者は給湯装置１が故障であると認識することができる。
【００４５】
一方、水量センサ１０により給水管７への給水の開始を認識した時点からの累積水量が所定量である１リットル未満のときは（ＳＴＥＰ４８においてＮＯ）、異常検出手段２８は給水温サーミスタ９及び出湯温サーミスタ１４の故障検知の作動は行わない。
【００４６】
尚、この第２の実施形態においては、給水温サーミスタ９及び出湯温サーミスタ１４の故障検知を行う際に、給水温サーミスタ９により温度を検知してから第２の所定時間経過後に出湯温サーミスタ１４の温度を検知しているが、時間差を設けることなく両サーミスタ９，１４の温度を同時に検出して故障検知を行っても良い。本実施形態では、給水管７に給水が開始されてから、累積水量が所定量になるまで給水が継続しているので、出湯温サーミスタ１４の近傍の水の温度と給水温サーミスタ９の近傍の水の温度は、共に図示しない水道管から供給される水の温度とほぼ同一となるためである。
【図面の簡単な説明】
【図１】本発明の給湯装置の実施形態の一例を示す全体構成図。
【図２】図１の給湯装置に備えられたリモコンの外観図。
【図３】第１の実施形態の給湯装置の故障検知回路の構成を示すブロック図。
【図４】図３の給湯装置の作動を示すフローチャート。
【図５】第１の実施形態における他の実施形態の給湯装置の故障検知回路の構成を示すブロック図。
【図６】図５の給湯装置の作動を示すフローチャート。
【図７】第２の実施形態の給湯装置の故障検知回路の構成を示すブロック図。
【図８】図７の給湯装置の作動を示すフローチャート。
【符号の説明】
１…給湯装置、５…給湯バーナ（加熱手段）、６…給湯熱交換器（熱交換器）、７…給水管、９…給水温サーミスタ（給水温検出手段）、１１…出湯管、１４…出湯温サーミスタ（出湯温検出手段）、２５…給湯制御手段、２８…異常検出手段。
【図１】
0003710620.tif 000002
【図２】
0003710620.tif 000003
【図３】
0003710620.tif 000004
【図４】
0003710620.tif 000005
【図５】
0003710620.tif 000006
【図６】
0003710620.tif 000007
【図７】
0003710620.tif 000008
【図８】
0003710620.tif 000009